(57)【要約】      （修正有）【課題】適切に料金を収受することができる携帯可能電子装置、改札機、情報処理装置、システム、決済方法及びプログラムを提供する。【解決手段】携帯可能電子装置４０は、通信部と、記憶部と、制御部と、を備える。通信部は、無線でデータを送受信する。記憶部は、データを格納する。制御部は、前記通信部を通じて位置情報送信装置５０から、前記位置情報送信装置の位置を示す位置情報を受信し、前記位置情報に基づいて、入場駅の改札機２０から出場駅の改札機までの間に自身が移動した経路を示す履歴情報を前記記憶部に格納し、前記通信部を通じて、前記履歴情報を改札機に送信する。【選択図】図１
2019053611.tif 000002
【特許請求の範囲】
【請求項１】
無線でデータを送受信する通信部と、
データを格納する記憶部と、
前記通信部を通じて位置情報送信装置から、前記位置情報送信装置の位置を示す位置情報を受信し、
前記位置情報に基づいて、入場駅の改札機から出場駅の改札機までの間に自身が移動した経路を示す履歴情報を前記記憶部に格納し、
前記通信部を通じて、前記履歴情報を改札機に送信する、
制御部と、
を備える携帯可能電子装置。
【請求項２】
前記履歴情報は、自身が滞在した場所を時系列で示し、
前記位置情報は、前記位置情報送信装置がある場所及び前記位置情報を送信した時刻を示す、
前記請求項１に記載の携帯可能電子装置。
【請求項３】
前記位置情報送信装置は、ホーム又は車両に設置される、
前記請求項１又は２に記載の携帯可能電子装置。
【請求項４】
サーバとデータを送受信するサーバ通信部と、
携帯可能電子装置と無線でデータを送受信する電子装置通信部と、
前記電子装置通信部を通じて、自身の位置を示す位置情報を前記携帯可能電子装置に送信し、
前記電子装置通信部を通じて前記携帯可能電子装置から、入場駅の改札機から出場駅の改札機までの間に前記携帯可能電子装置が移動した経路を示す履歴情報を受信し、
前記サーバ通信部を通じて前記履歴情報を前記サーバへ送信する、
制御部と、
を備える改札機。
【請求項５】
前記電子装置通信部は、
入場側に設置される第１の電子装置通信部と、
出場側に設置される第２の電子装置通信部と、
から構成され、
前記制御部は、
前記第１の電子装置通信部及び前記第２の電子装置通信部の順に前記携帯可能電子装置と通信する場合、前記電子装置通信部を通じて自身の位置を示す位置情報を前記携帯可能電子装置に送信し、
前記第２の電子装置通信部及び前記第１の電子装置通信部の順に前記携帯可能電子装置と通信する場合、前記電子装置通信部を通じて前記履歴情報を受信し、前記サーバ通信部を通じて前記履歴情報を前記サーバへ送信する、
前記請求項４に記載の改札機。
【請求項６】
前記第１の電子装置通信部及び前記第２の電子装置通信部は、所定の間隔でビーコン情報を送信する、
前記請求項５に記載の改札機。
【請求項７】
前記履歴情報は、位置情報送信装置があるホーム又は車両の少なくとも１つの位置を示す、
前記請求項４乃至６の何れか１項に記載の改札機。
【請求項８】
改札機とデータを送受信する通信部と、
前記通信部を通じて前記改札機から、入場駅の改札機から出場駅の改札機までの間に携帯可能電子装置が移動した経路を示す履歴情報を受信し、
前記履歴情報に基づいて乗車料金を決定し
前記乗車料金を決済する、
制御部と、
を備える情報処理装置。
【請求項９】
前記履歴情報は、前記携帯可能電子装置が滞在したホーム又は車両の少なくとも１つを示す、
前記請求項８に記載の情報処理装置。
【請求項１０】
改札機と情報処理装置とを備えるシステムであって、
前記改札機は、
情報処理装置とデータを送受信するサーバ通信部と、
無線でデータを送受信する電子装置通信部と、
前記電子装置通信部を通じて、自身の位置を示す位置情報を携帯可能電子装置に送信し、
前記電子装置通信部を通じて前記携帯可能電子装置から、入場駅の改札機から出場駅の改札機までの間に前記携帯可能電子装置が移動した経路を示す履歴情報を受信し、
前記サーバ通信部を通じて前記履歴情報を前記情報処理装置へ送信する、
制御部と、
を備え、
前記改札機とデータを送受信する改札機通信部と、
前記改札機通信部を通じて前記履歴情報を前記改札機から受信し、
前記履歴情報に基づいて乗車料金を決定し
前記乗車料金を決済する、
制御部と、
を備える、
システム。
【請求項１１】
位置情報送信装置の位置を示す位置情報を携帯可能電子装置に送信し、
前記携帯可能電子装置から、入場駅の改札から出場駅の改札までの間に前記携帯可能電子装置が移動した経路を示す履歴情報を受信し、
前記履歴情報に基づいて乗車料金を決定し
前記乗車料金を決済する、
決済方法。
【請求項１２】
プロセッサに、
位置情報送信装置から、前記位置情報送信装置の位置を示す位置情報を受信させ、
前記位置情報に基づいて、入場駅の改札機から出場駅の改札機までの間に自身が移動した経路を示す履歴情報を記憶部に格納させ、
前記履歴情報を改札機に送信させる、
プログラム。
【発明の詳細な説明】
【技術分野】
【０００１】
本発明の実施形態は、携帯可能電子装置、改札機、情報処理装置、システム、決済方法及びプログラムに関する。
【背景技術】
【０００２】
電車などの改札処理などを行う駅係員は、振替乗車、乗り越し又は誤乗車などが生じた場合、利用者の申告などに基づいて乗車料金を決済する。その場合、乗車料金は、駅係員の裁量に委ねられる。そのため、従来、駅係員は、適切な料金を収受することができない場合がある。
【先行技術文献】
【特許文献】
【０００３】
【特許文献１】特開２００５−１２４０９２号公報
【発明の概要】
【発明が解決しようとする課題】
【０００４】
上記の課題を解決するため、適切に料金を収受することができる携帯可能電子装置、改札機、情報処理装置、システム、決済方法及びプログラムを提供する。
【課題を解決するための手段】
【０００５】
実施形態によれば、携帯可能電子装置は、通信部と、記憶部と、制御部と、を備える。通信部は、無線でデータを送受信する。記憶部は、データを格納する。制御部は、前記通信部を通じて位置情報送信装置から、前記位置情報送信装置の位置を示す位置情報を受信し、前記位置情報に基づいて、入場駅の改札機から出場駅の改札機までの間に自身が移動した経路を示す履歴情報を前記記憶部に格納し、前記通信部を通じて、前記履歴情報を改札機に送信する。
【図面の簡単な説明】
【０００６】
【図１】図１は、実施形態に係る料金収受システムの構成例を示すブロック図である。
【図２】図２は、実施形態に係る改札機の例を概念的に示す図である。
【図３】図３は、実施形態に係る改札機の構成例を示すブロック図である。
【図４】図４は、実施形態に係るビーコンステッカーの構成例を示すブロック図である。
【図５】図５は、実施形態に係るホームビーコンの設置例を示す図である。
【図６】図６は、実施形態に係る車両ビーコンの設置例を示す図である。
【図７】図７は、実施形態に係る車両ビーコンの設置例を示す図である。
【図８】図８は、実施形態に係る車両ビーコンの設置例を示す図である。
【図９】図９は、実施形態に係る料金収受システムの動作例を示すシーケンス図である。
【図１０】図１０は、実施形態に係るビーコン情報の構成例を示す図である。
【図１１】図１１は、実施形態に係るステッカー情報の構成例を示す図である。
【図１２】図１２は、実施形態に係るビーコン情報の構成例を示す図である。
【図１３】図１３は、実施形態に係る料金収受システムの動作例を示すシーケンス図である。
【図１４】図１４は、実施形態に係るホームビーコン情報の構成例を示す図である。
【図１５】図１５は、実施形態に係る料金収受システムの動作例を示すシーケンス図である。
【図１６】図１６は、実施形態に係るビーコン情報の構成例を示す図である。
【図１７】図１７は、実施形態に係るビーコン情報の構成例を示す図である。
【図１８】図１８は、実施形態に係るビーコンステッカーの動作例を示すフローチャートである。
【図１９】図１９は、実施形態に係る改札機の動作例を示すフローチャートである。
【図２０】図２０は、実施形態に係るビーコンステッカーの動作例を示すフローチャートである。
【図２１】図２１は、実施形態に係る改札機の動作例を示すフローチャートである。
【図２２】図２２は、実施形態に係るサーバの動作例を示すフローチャートである。
【発明を実施するための形態】
【０００７】
以下、図面を参照しながら実施形態について説明する。  
実施形態に係る料金収受システムは、利用者から所定の料金を収受する。たとえば、料金収受システムは、電車又はモノレールなどの乗車料金を収受する。料金収受システムは、入場駅の改札機から出場駅の改札機までの間の移動経路を示す履歴情報をユーザが所持するビーコンステッカーから取得する。料金収受システムは、履歴情報に基づいて利用者の料金を決定し決済する。なお、料金収受システムが収受する料金は、特定のサービスに関するものではない。
【０００８】
図１は、実施形態に係る料金収受システム１の構成例を示す。図１が示すように、料金収受システム１は、サーバ１０、改札機２０、ネットワーク３０、ビーコンステッカー４０、ホームビーコン５０及び車両ビーコン６０などを備える。サーバ１０は、ネットワーク３０に接続する。改札機２０は、ネットワーク３０に接続する。
【０００９】
なお、料金収受システム１は、図１が示すような構成の他に必要に応じた構成をさらに具備したり、料金収受システム１から特定の構成が除外されたりしてもよい。
【００１０】
サーバ１０（情報処理装置）は、改札機２０からの情報などに基づいて料金を決済する。サーバ１０は、後述する履歴情報を改札機２０から受信する。サーバ１０は、履歴情報などに基づいて料金を決済する。図１が示すように、サーバ１０は、制御部１１及び通信部１２などから構成される。
【００１１】
制御部１１は、サーバ１０全体の動作を制御する。たとえば、制御部１１は、通信部１２を介してネットワーク３０と接続する。制御部１１は、通信部１２を通じて改札機２０から種々の情報を受信する。制御部１１は、たとえば、プロセッサ、ＲＡＭ、ＲＯＭ及びＮＶＭなどから構成される。
【００１２】
通信部１２（改札機通信部）は、ネットワーク３０を通じて改札機２０とデータを送受信するためのインターフェースである。たとえば、通信部１２は、ＬＡＮ接続などをサポートするインターフェースである。
【００１３】
改札機２０（位置情報送信装置）は、改札口においてユーザの入出場を制御する。改札機２０は、駅の改札口などに設置される。改札機２０は、ユーザが所持するビーコンステッカー４０から得られる情報に基づいて、ユーザの駅構内への入場処理及び駅構内からの出場処理を行う。改札機２０は、入場又は出場の判定結果に基づいて、ユーザの通行を制御する。なお、改札機２０は、簡易改札機であってもよい。改札機２０については、後に詳述する。
【００１４】
ネットワーク３０は、サーバ１０と改札機２０との間などでデータを送受信するための通信網である。たとえば、ネットワーク３０は、インターネットである。また、ネットワーク３０は、独自の通信網であってもよい。
【００１５】
ビーコンステッカー４０は、改札処理を行うためにユーザが所持する携帯可能電子装置である。ビーコンステッカー４０は、改札機２０、ホームビーコン５０及び車両ビーコン６０などとデータを送受信する。ビーコンステッカー４０は、入場駅の改札機から出場駅の改札機までの間にビーコンステッカー４０が移動した経路を示す履歴情報を格納する。ビーコンステッカー４０は、出場駅の改札機２０に対して履歴情報を送信する。ビーコンステッカー４０については、後に詳述する。
【００１６】
ホームビーコン５０（位置情報送信装置）は、ビーコンステッカー４０にデータを送信する。ホームビーコン５０は、自身が設置されるホームなどを示すデータをビーコンステッカー４０に送信する。ホームビーコン５０は、所定の間隔でデータを送信するものであってもよい。
【００１７】
車両ビーコン６０（位置情報送信装置）は、ビーコンステッカー４０にデータを送信する。車両ビーコン６０は、自身が設置される車両など示すデータをビーコンステッカー４０に送信する。車両ビーコン６０は、所定の間隔でデータを送信するものであってもよい。
【００１８】
次に、改札機２０について説明する。図２は、改札機２０を概念的に示す図である。また、図３は、改札機２０の構成例を示すブロック図である。
【００１９】
図３が示すように、改札機２０は、制御部２１、通信部２２、扉２３、第１のビーコン２４及び第２のビーコン２５などを備える。これらの各部は、データバスを介して互いに接続されている。なお、改札機２０は、図３が示すような構成の他に必要に応じた構成をさらに具備したり、改札機２０から特定の構成が除外されたりしてもよい。
【００２０】
制御部２１は、改札機２０全体の動作を制御する。たとえば、制御部２１は、通信部２２を介してネットワーク３０と接続する。また、制御部２１は、第１のビーコン２４及び第２のビーコン２５を通じてビーコンステッカー４０とデータを送受信する。また、制御部２１は、扉２３を用いてユーザの通行を制御する。制御部２１は、たとえば、プロセッサ、ＲＡＭ、ＲＯＭ及びＮＶＭなどから構成される。
【００２１】
通信部２２（サーバ通信部）は、ネットワーク３０を通じてサーバ１０とデータを送受信するためのインターフェースである。たとえば、通信部２２は、ＬＡＮ接続などをサポートするインターフェースである。
【００２２】
扉２３は、改札機２０を通過するユーザを制御するために設けられる。扉２３は、改札機２０が形成する通行路側に設けられる。扉２３は、制御部２１からの信号に基づいて、通行不可と判定されたユーザの通行を阻止する。
【００２３】
第１のビーコン２４（第１の電子装置通信部）は、ビーコンステッカー４０と無線でデータを送受信するためのインターフェースである。第１のビーコン２４は、所定の周波数帯の電波を用いてビーコンステッカー４０とデータを送受信する。たとえば、第１のビーコン２４は、無線通信を行うための変復調回路などの通信制御部とアンテナとなどから構成される。第１のビーコン２４は、ビーコン信号を所定の間隔で送信するものであってもよい。
【００２４】
第２のビーコン２５（第２の電子装置通信部）は、ビーコンステッカー４０と無線でデータを送受信するためのインターフェースである。第２のビーコン２５は、所定の周波数帯の電波を用いてビーコンステッカー４０とデータを送受信する。たとえば、第２のビーコン２５は、無線通信を行うための変復調回路などの通信制御部とアンテナとなどから構成される。第２のビーコン２５は、ビーコン信号を所定の間隔で送信するものであってもよい。
【００２５】
第１のビーコン２４及び第２のビーコン２５は、ユーザが改札機２０を通過する際に当該ユーザが所持するビーコンステッカー４０と通信可能な位置に配置される。図２が示すように、第１のビーコン２４及び第２のビーコン２５は、改札機２０の上端部に設置される。第１のビーコン２４及び第２のビーコン２５は、ユーザが入場する方向に向って順に配置される。即ち、第１のビーコン２４は、入場側に設置される。また、第２のビーコン２５は、出場側に設置される。
【００２６】
ビーコンステッカー４０を所持するユーザが改札機２０を通じて入場する場合、ビーコンステッカー４０は、第１のビーコン２４及び第２のビーコン２５の順に通信する。また、ビーコンステッカー４０を所持するユーザが改札機２０を通じて出場する場合、ビーコンステッカー４０は、第２のビーコン２５及び第１のビーコン２４の順に通信する。
【００２７】
次に、ビーコンステッカー４０について説明する。  
ビーコンステッカー４０は、内部電源から電力の供給を受けて起動する。なお、ビーコンステッカー４０は、外部装置からの電力の供給を受けて起動するものであってもよい。
【００２８】
図４は、ビーコンステッカー４０の構成例を示すブロック図である。図４が示すように、ビーコンステッカー４０は、プロセッサ４１、メモリ４２及び通信部４３などから構成されている。これらの各部は、データバスを介して互いに接続されている。なお、ビーコンステッカー４０は、図４が示すような構成の他に必要に応じた構成をさらに具備したり、ビーコンステッカー４０から特定の構成が除外されたりしてもよい。
【００２９】
プロセッサ４１は、ビーコンステッカー４０全体の制御を司る制御部として機能する。プロセッサ４１は、内部メモリ又はメモリ４２に記憶される制御プログラム及び制御データに基づいて種々の処理を行う。たとえば、プロセッサ４１は、メモリ４２に記憶されているプログラムを実行することにより、ビーコンステッカー４０の動作制御などを行う。
【００３０】
なお、プロセッサ４１がプログラムを実行することにより実現する各種の機能のうちの一部は、ハードウエア回路により実現されるものであっても良い。この場合、プロセッサ４１は、ハードウエア回路により実行される機能を制御する。
【００３１】
メモリ４２（記憶部）は、種々のデータを格納する。たとえば、メモリ４２は、ＲＯＭ、ＲＡＭ及びＮＶＭとして機能する。  
たとえば、メモリ４２は、制御プログラム及び制御データなどを記憶する。制御プログラム及び制御データは、ビーコンステッカー４０の仕様に応じて予め組み込まれる。たとえば、制御プログラムは、ビーコンステッカー４０で実現する機能をサポートするプログラムなどである。
【００３２】
また、メモリ４２は、プロセッサ４１の処理中のデータなどを一時的に格納する。また、メモリ４２は、アプリケーションプログラムの実行に必要なデータ及びアプリケーションプログラムの実行結果などを格納してもよい。
【００３３】
メモリ４２は、入場駅の改札機から出場駅の改札機までの間にビーコンステッカー４０が移動した経路を示す履歴情報を格納する。  
履歴情報は、ビーコンステッカー４０が滞在した場所（滞在場所）とビーコンステッカー４０が当該滞在場所に滞在した時刻（通過時刻）などから構成される。即ち、履歴情報は、ビーコンステッカー４０が滞在した場所を時系列で示す。たとえば、滞在場所は、入場駅の改札機、入場駅のホーム、車両及び出場駅のホームなどである。
【００３４】
また、メモリ４２は、ビーコンステッカー４０を特定するステッカーＩＤを格納する。たとえば、ステッカーＩＤは、文字列、数値、記号又はそれらの組合せである。たとえば、ビーコンステッカー４０の製造時などにおいて、ステッカーＩＤは、メモリ４２に格納される。
【００３５】
通信部４３は、第１のビーコン２４、第２のビーコン２５、ホームビーコン５０及び車両ビーコン６０と無線でデータを送受信するためのインターフェースである。通信部４３は、無線通信を行うための変復調回路などの通信制御部とアンテナとなどから構成される。
【００３６】
次に、ホームビーコン５０の設置場所について説明する。  
図５は、ホームビーコン５０の設置場所を示す図である。図５が示す例では、駅構内に車両１００及びホーム２００があるものとする。
【００３７】
ホーム２００は、改札機２０から入場したユーザが降りるプラットホームである。  
車両１００は、ホーム２００に進入する車両である。
【００３８】
ホームビーコン５０ａ乃至５０ｃは、ホーム２００上に設置される。ホームビーコン５０ａ乃至５０ｃは、ホーム２００に滞在するユーザのビーコンステッカー４０と通信可能な位置に配置される。
【００３９】
ホームビーコン５０ａ乃至５０ｃは、ホーム２００の中央部に順に配置される。
【００４０】
次に、車両ビーコン６０の設置場所について説明する。  
図６は、車両ビーコン６０が設置された車両１００の上面図である。図７は、ドアが閉まった車両１００の側面図である。図８は、ドアが開いた車両１００の側面図である。
【００４１】
図６及び図８が示すように、車両ビーコン６０ａ及び６０ｂは、車両１００のドア１０１の上部に設置される。車両ビーコン６０ａ及び６０ｂは、ドア１０１の左端上部及び右端上部にそれぞれ設置される。
【００４２】
図７が示すように、ドア１０１が閉まった状態では、車両ビーコン６０ａ及び６０ｂは、外部に露出しないようになっている。そのため、車両１００に乗車しないユーザのビーコンステッカー４０は、車両ビーコン６０ａ及び６０ｂから電波を受信しない、又は、弱い電波を受信する。後述するように、ビーコンステッカー４０は、車両ビーコン６０ａ又は６０ｂから弱い電波を受信しても読み捨てる。従って、車両ビーコン６０ａ及び６０ｂは、車両１００に乗車するユーザのビーコンステッカー４０にデータを送信することができる。
【００４３】
次に、料金収受システム１の動作例について説明する。  
まず、ユーザが改札機２０を通じて入場する場合における料金収受システム１の動作例について説明する。図９は、ユーザが改札機２０を通じて入場する場合における料金収受システム１の動作例について説明するためのシーケンス図である。ここでは、ビーコンステッカー４０を所持するユーザは、改札機２０を通じて駅構内に入場するものとする。即ち、ビーコンステッカー４０は、第１のビーコン２４と通信した後に第２のビーコン２５を通信する。
【００４４】
改札機２０の制御部２１は、第１のビーコン２４及び第２のビーコン２５がビーコンステッカー４０と通信する順序に基づいて入場処理を行うか判定する。即ち、制御部２１は、順に第１のビーコン２４及び第２のビーコン２５がビーコンステッカー４０と通信する場合、入場処理を行うと判定する。
【００４５】
まず、制御部２１は、第１のビーコン２４を通じて第１のビーコン情報を送信する（Ｓ１１）。
【００４６】
第１のビーコン情報は、改札機２０及び第１のビーコン２４に関する情報である。図１０は、第１のビーコン情報の構成例を示す。図１０が示すように、第１のビーコン情報は、「設置場所」、「改札機番号」、「ビーコン番号」及び「時刻」などから構成される。なお、第１のビーコン情報は、図１０が示すような構成の他に必要に応じた構成をさらに具備したり、第１のビーコン情報から特定の構成が除外されたりしてもよい。
【００４７】
「設置場所」は、改札機２０が設置される駅及び出入口を示す。即ち、「設置場所」は、ユーザが入場する入場駅及び入場駅に入場した出入口を示す。
【００４８】
「改札機番号」は、駅に設置された複数の改札機の中から改札機２０を特定するＩＤを示す。
【００４９】
「ビーコン番号」は、ビーコン情報を送信したビーコンを示す番号である。ここでは、第１のビーコン２４には、「１」が割り振られているものとする。また、第２のビーコン２５には、「２」が割り振られているものとする。従って、第１のビーコン情報の「ビーコン番号」は、「１」を格納する。
【００５０】
「時刻」は、ビーコンがビーコン情報を送信した時刻を示す。第１のビーコン情報の「時刻」は、第１のビーコン２４が第１のビーコン情報を送信した時刻を示す。
【００５１】
ビーコンステッカー４０のプロセッサ４１は、通信部４３を通じて第１のビーコン情報を受信する。第１のビーコン情報を受信すると、プロセッサ４１は、通信部４３を通じて第１のビーコン情報に対するステッカー情報を第１のビーコン２４に送信する（Ｓ１２）。
【００５２】
ステッカー情報は、ビーコンステッカー４０に関する情報である。図１１は、第１のビーコン情報に対するステッカー情報の構成例を示す。図１１が示すように、ステッカー情報は、「設置場所」、「改札機番号」、「ビーコン番号」、「ステッカーＩＤ」、「電波強度」及び「時刻」などから構成される。なお、ステッカー情報は、図１１が示すような構成の他に必要に応じた構成をさらに具備したり、ステッカー情報から特定の構成が除外されたりしてもよい。
【００５３】
「設置場所」、「改札機番号」、「ビーコン番号」及び「時刻」は、前述の通りである。即ち、第１のビーコン情報に対するステッカー情報は、第１のビーコン情報の「設置場所」、「改札機番号」、「ビーコン番号」及び「時刻」を含む。
【００５４】
「ステッカーＩＤ」は、ビーコンステッカー４０を特定するＩＤである。プロセッサ４１は、メモリ４２からステッカーＩＤを取得し、ステッカー情報に格納する。
【００５５】
「電波強度」は、ビーコン情報を受信した電波の強度を示す。ここでは、「電波強度」は、第１のビーコン情報を受信した電波の強度を示す。「電波強度」は、段階的に強度を示す。ここでは、「電波強度」は、「強」又は「弱」である。なお、「電波強度」は、電波の強度を示す数値であってもよい。
【００５６】
第１のビーコン２４は、ビーコンステッカー４０からステッカー情報を受信する。ステッカー情報を受信すると、第１のビーコン２４は、ステッカー情報を制御部２１に送信する（Ｓ１３）。
【００５７】
第１のビーコン２４がステッカー情報を制御部２１に送信すると、第２のビーコン２５は、第２のビーコン情報をビーコンステッカー４０に送信する（Ｓ１４）。第２のビーコン情報は、改札機２０及び第２のビーコン２５に関する情報である。第２のビーコン情報の構成は、第１のビーコン情報のそれと同様であるため説明を省略する。
【００５８】
ビーコンステッカー４０のプロセッサ４１は、通信部４３を通じて第２のビーコン情報を受信する。第２のビーコン情報を受信すると、プロセッサ４１は、通信部４３を通じて第２のビーコン情報に対するステッカー情報を第２のビーコン２５に送信する（Ｓ１５）。第２のビーコン情報に対するステッカー情報は、第１のビーコン情報に対するそれと同様であるため説明を省略する。
【００５９】
第２のビーコン２５は、ビーコンステッカー４０からステッカー情報を受信する。ステッカー情報を受信すると、第２のビーコン２５は、ステッカー情報を制御部２１に送信する（Ｓ１６）。
【００６０】
ステッカー情報を受信すると、制御部２１は、ユーザの入場判定を行う（Ｓ１７）。たとえば、制御部２１は、第１のビーコン情報に対するステッカー情報の「ステッカーＩＤ」と第２のビーコン情報に対するステッカー情報の「ステッカーＩＤ」とが一致するか判定する。また、たとえば、制御部２１は、「ステッカーＩＤ」が予めメモリ４２などに格納されるネガティブリスト（改札処理を行わないＩＤのリスト）に含まれないか判定する。
【００６１】
両「ステッカーＩＤ」が一致しネガティブリストにも含まれない場合、制御部２１は、ユーザの入場を許可する。ここでは、制御部２１は、ユーザの入場を許可するものとする。  
なお、制御部２１は、「ステッカーＩＤ」が有効であるかサーバ１０などに問い合わせてもよい。
【００６２】
制御部２１は、第２のビーコン２５に入場済情報（位置情報）を送信する（Ｓ１８）。入場済情報は、ビーコンステッカー４０を所持するユーザが改札機２０の駅から入場したことを示す情報である。即ち、入場済情報は、改札機２０の位置を示す。
【００６３】
図１２は、入場済情報の構成例を示す。図１２が示すように、入場済情報は、「設置場所」、「改札機番号」、「ビーコン番号」、「入場済フラグ」及び「時刻」などから構成される。なお、入場済情報は、図１２が示すような構成の他に必要に応じた構成をさらに具備したり、入場済情報から特定の構成が除外されたりしてもよい。
【００６４】
「設置場所」、「改札機番号」、「ビーコン番号」、及び「時刻」は、前述の通りである。なお、「ビーコン番号」は、第２のビーコン２５を示す「２」を格納する。  
「入場済フラグ」は、「設置場所」が示す駅に入場したことを示す。たとえば、「入場済フラグ」は、入場したことを示すビットなどから構成される。
【００６５】
第２のビーコン２５は、入場済情報を受信する。入場済情報を受信すると、第２のビーコン２５は、入場済情報をビーコンステッカー４０に送信する（Ｓ１９）。
【００６６】
ビーコンステッカー４０のプロセッサ４１は、通信部４３を通じて入場済情報を受信する。入場済情報を受信すると、プロセッサ４１は、メモリ４２に履歴情報として、入場済情報の「設置場所」（駅及び出入口）にある改札機２０に「時刻」において滞在したことを示す情報を格納する（Ｓ２０）。
【００６７】
また、第２のビーコン２５に入場済情報を送信すると、制御部２１は、通信部２２を通じて入場情報をサーバ１０へ送信する（Ｓ２１）。入場情報は、ユーザが改札機２０の駅に入場したことを示す。たとえば、入場情報は、「ステッカーＩＤ」、「設置場所」及び「時刻」を格納する。
【００６８】
制御部２１が入場情報をサーバ１０へ送信すると、料金収受システム１は、動作を終了する。  
なお、制御部２１は、ユーザが入場可能であると判定した場合、扉２３を開けてもよい。また、制御部２１は、扉２３が開いている場合、継続して扉２３を開けてもよい。
【００６９】
次に、料金収受システム１がホーム２００でビーコンステッカー４０に履歴情報を格納する動作例について説明する。図１３は、料金収受システム１がホーム２００でビーコンステッカー４０に履歴情報を格納する動作例について説明するためのシーケンス図である。
【００７０】
ホームビーコン５０は、所定の間隔でホームビーコン情報を送信する。ホームビーコン情報（位置情報）は、ホームビーコン５０がある位置を示す。図１４は、ホームビーコン情報の構成例を示す。図１４が示すように、ホームビーコン情報は、「設置場所」及び「時刻」などから構成される。なお、ホームビーコン情報は、図１４が示すような構成の他に必要に応じた構成をさらに具備したり、ホームビーコン情報から特定の構成が除外されたりしてもよい。
【００７１】
「設置場所」は、ホームビーコン５０が設置されるホーム２００を示す。たとえば、「設置場所」は、ホーム２００が設置される駅及びホーム２００を特定するＩＤなどから構成される。
【００７２】
「時刻」は、ホームビーコン５０がホームビーコン情報を送信した時刻を示す。即ち、「時刻」は、ビーコンステッカー４０がホームビーコン情報を受信した時刻である。
【００７３】
ホームビーコン５０は、ビーコンステッカー４０にホームビーコン情報を送信する（Ｓ３１）。  
ビーコンステッカー４０のプロセッサ４１は、通信部４３を通じてホームビーコン情報を受信する。ホームビーコン情報を受信すると、プロセッサ４１は、メモリ４２に履歴情報として、ビーコンステッカー４０がホームビーコン情報の「設置場所」（ホーム２００）に「時刻」において滞在したことを示す情報を格納する（Ｓ３２）。
【００７４】
プロセッサ４１が履歴情報を格納すると、料金収受システム１は、動作を終了する。  
なお、プロセッサ４１は、同一のホームビーコン情報を複数回受信した場合には、２回目以降のホームビーコン情報に基づいて履歴情報に情報を追加しなくともよい。
【００７５】
次に、料金収受システム１が車両１００でビーコンステッカー４０に履歴情報を格納する動作例について説明する。料金収受システム１が車両１００で履歴情報を格納する動作例について説明するシーケンス図は、料金収受システム１がホーム２００で履歴情報を格納する動作例について説明するシーケンス図と同様であるため省略する。
【００７６】
車両ビーコン６０は、所定の間隔で車両ビーコン情報を送信する。車両ビーコン情報（位置情報）は、車両１００の位置を示す。ホームビーコン情報と同様に、車両ビーコン情報は、「設置場所」及び「時刻」などから構成される。
【００７７】
「設置場所」は、車両ビーコン６０が設置される車両１００の車列を示す。たとえば、「設置場所」は、複数の車両１００が構成する車列を特定するＩＤなどから構成される。なお、「設置場所」は、車両１００を個別に特定するＩＤなどから構成されてもよい。
【００７８】
「時刻」は、車両ビーコン６０が車両ビーコン情報を送信した時刻を示す。即ち、「時刻」は、ビーコンステッカー４０が車両ビーコン情報を受信した時刻である。
【００７９】
車両ビーコン６０は、ビーコンステッカー４０に車両ビーコン情報を送信する。  
ビーコンステッカー４０のプロセッサ４１は、通信部４３を通じて車両ビーコン情報を受信する。車両ビーコン情報を受信すると、プロセッサ４１は、履歴情報に、ビーコンステッカー４０が車両ビーコン情報の「設置場所」（車列）に「時刻」において滞在したことを示す情報を追加する。
【００８０】
プロセッサ４１が履歴情報を格納すると、料金収受システム１は、動作を終了する。  
なお、プロセッサ４１は、同一の車両ビーコン情報を複数回受信した場合には、２回目以降の車両ビーコン情報に基づいて履歴情報に情報を追加しなくともよい。
【００８１】
また、プロセッサ４１は、ビーコンステッカー４０が他のホーム２００に移動する度に、当該ホーム２００のホームビーコン情報を受信してもよい。プロセッサ４１は、ホームビーコン情報に基づいて履歴情報に追記する。
【００８２】
また、プロセッサ４１は、ビーコンステッカー４０が他の車両１００に移動する度に、当該車両１００の車両ビーコン情報を受信してもよい。プロセッサ４１は、車両ビーコン情報に基づいて履歴情報に追記する。
【００８３】
次に、ユーザが改札機２０を通じて出場する場合における料金収受システム１の動作例について説明する。図１５は、ユーザが改札機２０を通じて出場する場合における料金収受システム１の動作例について説明するためのシーケンス図である。ここでは、ビーコンステッカー４０を所持するユーザは、改札機２０を通じて駅構内から出場するものとする。即ち、ビーコンステッカー４０は、第２のビーコン２５と通信した後に第１のビーコン２４を通信する。
【００８４】
改札機２０の制御部２１は、第１のビーコン２４及び第２のビーコン２５がビーコンステッカー４０と通信する順序に基づいて出場処理を行うか判定する。即ち、制御部２１は、順に第２のビーコン２５及び第１のビーコン２４がビーコンステッカー４０と通信する場合、出場処理を行うと判定する。
【００８５】
まず、制御部２１は、第２のビーコン２５を通じて第２のビーコン情報を送信する（Ｓ４１）。
【００８６】
ビーコンステッカー４０のプロセッサ４１は、通信部４３を通じて第２のビーコン情報を受信する。第２のビーコン情報を受信すると、プロセッサ４１は、通信部４３を通じて第２のビーコン情報に対するステッカー情報を第２のビーコン２５に送信する（Ｓ４２）。
【００８７】
第２のビーコン２５は、ビーコンステッカー４０からステッカー情報を受信する。ステッカー情報を受信すると、第２のビーコン２５は、ステッカー情報を制御部２１に送信する（Ｓ４３）。
【００８８】
第２のビーコン２５がステッカー情報を制御部２１に送信すると、第１のビーコン２４は、第１のビーコン情報をビーコンステッカー４０に送信する（Ｓ４４）。
【００８９】
ビーコンステッカー４０のプロセッサ４１は、通信部４３を通じて第１のビーコン情報を受信する。第１のビーコン情報を受信すると、プロセッサ４１は、通信部４３を通じて履歴情報を含むステッカー情報を第１のビーコン２４に送信する（Ｓ４５）。
【００９０】
図１６は、履歴情報を含むステッカー情報の構成例を示す。図１６が示すように、ステッカー情報は、「設置場所」、「改札機番号」、「ビーコン番号」、「ステッカーＩＤ」、「電波強度」、「履歴情報」及び「時刻」などから構成される。なお、ステッカー情報は、図１１が示すような構成の他に必要に応じた構成をさらに具備したり、ステッカー情報から特定の構成が除外されたりしてもよい。
【００９１】
「設置場所」、「改札機番号」、「ビーコン番号」、「ステッカーＩＤ」、「電波強度」及び「時刻」は、前述の通りである。なお、「ビーコン番号」は、第１のビーコン２４を示す「１」を格納する。また、「電波強度」は、Ｓ４４で送信される第１のビーコン情報を受信した電波の強度を示す。
【００９２】
「履歴情報」は、メモリ４２が格納する履歴情報である。
【００９３】
第１のビーコン２４は、ビーコンステッカー４０からステッカー情報を受信する。ステッカー情報を受信すると、第１のビーコン２４は、ステッカー情報を制御部２１に送信する（Ｓ４６）。
【００９４】
ステッカー情報を受信すると、制御部２１は、ユーザの出場判定を行う（Ｓ４７）。たとえば、制御部２１は、履歴情報を含むステッカー情報の「ステッカーＩＤ」と第２のビーコン情報に対するステッカー情報の「ステッカーＩＤ」とが一致するか判定する。また、たとえば、制御部２１は、「ステッカーＩＤ」が予めメモリ４２などに格納されるネガティブリスト（改札処理を行わないＩＤのリスト）に含まれないか判定する。
【００９５】
両「ステッカーＩＤ」が一致しネガティブリストにも含まれない場合、制御部２１は、ユーザの出場を許可する。ここでは、制御部２１は、ユーザの出場を許可するものとする。  
なお、制御部２１は、「ステッカーＩＤ」が有効であるかサーバ１０などに問い合わせてもよい。
【００９６】
制御部２１は、第１のビーコン２４に出場済情報を送信する（Ｓ４８）。出場済情報は、ビーコンステッカー４０を所持するユーザが改札機２０の駅から出場したことを示す情報である。即ち、出場済情報は、ビーコンステッカー４０が滞在した場所として改札機２０を示す。
【００９７】
図１７は、出場済情報の構成例を示す。図１７が示すように、出場済情報は、「設置場所」、「改札機番号」、「ビーコン番号」、「出場済フラグ」及び「時刻」などから構成される。なお、出場済情報は、図１７が示すような構成の他に必要に応じた構成をさらに具備したり、出場済情報から特定の構成が除外されたりしてもよい。
【００９８】
「設置場所」、「改札機番号」、「ビーコン番号」、及び「時刻」は、前述の通りである。なお、「ビーコン番号」は、第１のビーコン２４を示す「１」を格納する。  
「出場済フラグ」は、「設置場所」が示す駅に出場したことを示す。たとえば、「出場済フラグ」は、出場したことを示すビットなどから構成される。
【００９９】
第１のビーコン２４は、出場済情報を受信する。出場済情報を受信すると、第１のビーコン２４は、出場済情報をビーコンステッカー４０に送信する（Ｓ４９）。
【０１００】
ビーコンステッカー４０のプロセッサ４１は、通信部４３を通じて出場済情報を受信する。出場済情報を受信すると、プロセッサ４１は、メモリ４２に履歴情報として、出場済情報の「設置場所」（駅及び出入口）にある改札機２０に「時刻」において滞在したことを示す情報を格納する（Ｓ５０）。なお、プロセッサ４１は、出場済情報を受信すると、履歴情報をリセットしてもよい。
【０１０１】
また、第１のビーコン２４に出場済情報を送信すると、制御部２１は、通信部２２を通じて出場情報をサーバ１０へ送信する（Ｓ５１）。出場情報は、ユーザの履歴情報及びユーザが改札機２０の駅（出場駅）から出場したことを示す情報とから構成される。たとえば、出場情報は、「ステッカーＩＤ」、「履歴情報」、出場駅としての「設置場所」及び「時刻」を格納する。
【０１０２】
サーバ１０の制御部１１は、通信部１２を通じて出場情報を受信する。出場情報を受信すると、制御部１１は、出場情報などに基づいてユーザの乗車料金を決定する（Ｓ５２）。
【０１０３】
制御部１１は、出場情報からユーザが乗車した区間を特定する。たとえば、制御部１１は、ユーザが入場した入場駅、ユーザが乗車した車両１００の車列及び出場駅からユーザが乗車した区間を特定する。なお、制御部１１は、ユーザが滞在したホーム２００と特定した区間とが整合的であるかチェックしてもよい。
【０１０４】
制御部１１は、ユーザが乗車した区間に基づいてユーザの乗車料金を決定する。なお、制御部１１は、各時刻に基づいて乗車料金を加算又は割り引いてもよい。
【０１０５】
乗車料金を決定すると、制御部１１は、乗車料金を決済する（Ｓ５３）。たとえば、制御部１１は、予め設定されたクレジットカード情報に基づいて乗車料金を決済する。制御部１１は、クレジットカード会社のサーバにユーザの乗車料金を決済するための情報を送信する。
【０１０６】
制御部１１が乗車料金を決済すると、料金収受システム１は、動作を終了する。  
なお、制御部２１は、ユーザが出場可能であると判定した場合、扉２３を開けてもよい。また、制御部２１は、扉２３が開いている場合、継続して扉２３を開けてもよい
次に、各部の動作例について説明する。  
まず、入場処理におけるビーコンステッカー４０の動作例について説明する。図１８は、入場処理におけるビーコンステッカー４０の動作例について説明するためのフローチャートである。
【０１０７】
まず、ビーコンステッカー４０のプロセッサ４１は、通信部４３を通じて第１のビーコン２４から第１のビーコン信号を受信する（Ｓ６１）。第１のビーコン信号を受信すると、プロセッサ４１は、通信部４３を通じて第１のビーコン信号に対するステッカー情報を第１のビーコン２４に送信する（Ｓ６２）。
【０１０８】
ステッカー情報を送信すると、プロセッサ４１は、通信部４３を通じて第２のビーコン２５から第２のビーコン信号を受信する（Ｓ６３）。第２のビーコン信号を受信すると、プロセッサ４１は、通信部４３を通じて第２のビーコン信号に対するステッカー情報を第２のビーコン２５に送信する（Ｓ６４）。
【０１０９】
ステッカー情報を送信すると、プロセッサ４１は、通信部４３を通じて第２のビーコン２５から入場済情報を受信したか判定する（Ｓ６５）。
【０１１０】
入場済情報を受信したと判定すると（Ｓ６５、ＹＥＳ）、プロセッサ４１は、入場済情報に基づいて履歴情報をメモリ４２に格納する（Ｓ６６）。
【０１１１】
入場済情報を受信しないと判定した場合（Ｓ６５、ＮＯ）、又は、履歴情報をメモリ４２に格納した場合（Ｓ６６）、プロセッサ４１は、動作を終了する。
【０１１２】
次に、入場処理における改札機２０の動作例について説明する。図１９は、入場処理における改札機２０の動作例について説明するためのフローチャートである。
【０１１３】
まず、改札機２０の制御部２１は、第１のビーコン２４及び第２のビーコン２５に第１のビーコン信号及び第２のビーコン信号の送信をそれぞれ開始する（Ｓ７１）。第１のビーコン信号及び第２のビーコン信号の送信を開始すると、制御部２１は、扉２３を閉める（Ｓ７２）。なお、初期状態で扉２３が閉まっている場合には、制御部２１は、Ｓ７２を行わなくともよい。
【０１１４】
扉２３を閉めると、制御部２１は、第１のビーコン２４又は第２のビーコン２５を通じてステッカー情報を受信したか判定する（Ｓ７３）。ステッカー情報を受信したと判定すると（Ｓ７３、ＹＥＳ）、制御部２１は、ステッカー情報の「電波強度」が「強」であるか判定する（Ｓ７４）。
【０１１５】
ステッカー情報の「電波強度」が「強」であると判定すると（Ｓ７４、ＹＥＳ）、制御部２１は、ステッカー情報の「改札機番号」が自身の番号と一致するか判定する（Ｓ７５）。ステッカー情報の「改札機番号」が自身の番号と一致すると判定すると（Ｓ７５、ＹＥＳ）、制御部２１は、ステッカー情報の「ビーコン番号」が「２」であるか判定する（Ｓ７６）。
【０１１６】
ステッカー情報の「ビーコン番号」が「２」であると判定すると（Ｓ７６、ＹＥＳ）、制御部２１は、ステッカー情報の「ステッカーＩＤ」と、直前に受信し「ビーコン番号」が「１」であるステッカー情報の「ステッカーＩＤ」とが一致するか判定する（Ｓ７７）。
【０１１７】
両「ステッカーＩＤ」が一致すると判定すると（Ｓ７７、ＹＥＳ）、制御部２１は、入場判定を行う（Ｓ７８）。
【０１１８】
ユーザの入場を許可すると判定すると（Ｓ７９、ＹＥＳ）、制御部２１は、扉２３を開ける（Ｓ８０）。扉２３を開けると、制御部２１は、第２のビーコン２５を通じて入場済情報をビーコンステッカー４０に送信する（Ｓ８１）。
【０１１９】
入場済情報をビーコンステッカー４０に送信すると、制御部２１は、通信部２２を通じて入場情報をサーバ１０へ送信する（Ｓ８２）。
【０１２０】
ユーザの入場を許可しないと判定した場合（Ｓ７９、ＮＯ）、又は、入場情報をサーバ１０へ送信した場合（Ｓ８２）、制御部２１は、動作を終了する。
【０１２１】
ステッカー情報を受信していないと判定した場合（Ｓ７３、ＮＯ）、ステッカー情報の「電波強度」が「強」でないと判定した場合（Ｓ７４、ＮＯ）、ステッカー情報の「改札機番号」が自身の番号と一致しないと判定した場合（Ｓ７５、ＮＯ）、ステッカー情報の「ビーコン番号」が「２」でないと判定した場合（Ｓ７６、ＮＯ）、又は、両「ステッカーＩＤ」が一致しないと判定した場合（Ｓ７７、ＮＯ）、制御部２１は、Ｓ７３に戻る。
【０１２２】
次に、出場処理におけるビーコンステッカー４０の動作例について説明する。図２０は、出場処理におけるビーコンステッカー４０の動作例について説明するためのフローチャートである。
【０１２３】
まず、ビーコンステッカー４０のプロセッサ４１は、通信部４３を通じて第２のビーコン２５から第２のビーコン信号を受信する（Ｓ９１）。第２のビーコン信号を受信すると、プロセッサ４１は、通信部４３を通じて第２のビーコン信号に対するステッカー情報を第２のビーコン２５に送信する（Ｓ９２）。
【０１２４】
ステッカー情報を送信すると、プロセッサ４１は、通信部４３を通じて第１のビーコン２４から第１のビーコン信号を受信する（Ｓ９３）。第１のビーコン信号を受信すると、プロセッサ４１は、通信部４３を通じて履歴情報を含むステッカー情報を第１のビーコン２４に送信する（Ｓ９４）。
【０１２５】
ステッカー情報を送信すると、プロセッサ４１は、通信部４３を通じて第１のビーコン２４から出場済情報を受信したか判定する（Ｓ９５）。
【０１２６】
で場済情報を受信したと判定すると（Ｓ９５、ＹＥＳ）、プロセッサ４１は、出場済情報に基づいて履歴情報に追記する（Ｓ９６）。
【０１２７】
出場済情報を受信しないと判定した場合（Ｓ９５、ＮＯ）、又は、履歴情報に追記した場合（Ｓ９６）、プロセッサ４１は、動作を終了する。
【０１２８】
次に、出場処理における改札機２０の動作例について説明する。図２１は、出場処理における改札機２０の動作例について説明するためのフローチャートである。
【０１２９】
まず、改札機２０の制御部２１は、第１のビーコン２４及び第２のビーコン２５に第１のビーコン信号及び第２のビーコン信号の送信をそれぞれ開始する（Ｓ１０１）。第１のビーコン信号及び第２のビーコン信号の送信を開始すると、制御部２１は、扉２３を閉める（Ｓ１０２）。なお、初期状態で扉２３が閉まっている場合には、制御部２１は、Ｓ１０２を行わなくともよい。
【０１３０】
扉２３を閉めると、制御部２１は、第１のビーコン２４又は第２のビーコン２５を通じてステッカー情報を受信したか判定する（Ｓ１０３）。ステッカー情報を受信したと判定すると（Ｓ１０３、ＹＥＳ）、制御部２１は、ステッカー情報の「電波強度」が「強」であるか判定する（Ｓ１０４）。
【０１３１】
ステッカー情報の「電波強度」が「強」であると判定すると（Ｓ１０４、ＹＥＳ）、制御部２１は、ステッカー情報の「改札機番号」が自身の番号と一致するか判定する（Ｓ１０５）。ステッカー情報の「改札機番号」が自身の番号と一致すると判定すると（Ｓ１０５、ＹＥＳ）、制御部２１は、ステッカー情報の「ビーコン番号」が「１」であるか判定する（Ｓ１０６）。
【０１３２】
ステッカー情報の「ビーコン番号」が「１」であると判定すると（Ｓ１０６、ＹＥＳ）、制御部２１は、ステッカー情報の「ステッカーＩＤ」と、直前に受信し「ビーコン番号」が「２」であるステッカー情報の「ステッカーＩＤ」とが一致するか判定する（Ｓ１０７）。
【０１３３】
両「ステッカーＩＤ」が一致すると判定すると（Ｓ１０７、ＹＥＳ）、制御部２１は、出場判定を行う（Ｓ１０８）。
【０１３４】
ユーザの出場を許可すると判定すると（Ｓ１０９、ＹＥＳ）、制御部２１は、扉２３を開ける（Ｓ１１０）。扉２３を開けると、制御部２１は、第１のビーコン２４を通じて出場済情報をビーコンステッカー４０に送信する（Ｓ１１１）。
【０１３５】
出場済情報をビーコンステッカー４０に送信すると、制御部２１は、通信部２２を通じて出場情報をサーバ１０へ送信する（Ｓ１１２）。
【０１３６】
ユーザの出場を許可しないと判定した場合（Ｓ１０９、ＮＯ）、又は、出場情報をサーバ１０へ送信した場合（Ｓ１１２）、制御部２１は、動作を終了する。
【０１３７】
ステッカー情報を受信していないと判定した場合（Ｓ１０３、ＮＯ）、ステッカー情報の「電波強度」が「強」でないと判定した場合（Ｓ１０４、ＮＯ）、ステッカー情報の「改札機番号」が自身の番号と一致しないと判定した場合（Ｓ１０５、ＮＯ）、ステッカー情報の「ビーコン番号」が「１」でないと判定した場合（Ｓ１０６、ＮＯ）、又は、両「ステッカーＩＤ」が一致しないと判定した場合（Ｓ１０７、ＮＯ）、制御部２１は、Ｓ１０３に戻る。
【０１３８】
次に、サーバ１０の動作例について説明する。図２２は、サーバ１０の動作例について説明するためのフローチャートである。
【０１３９】
まず、サーバ１０の制御部１１は、通信部１２を通じて改札機２０から入場情報を受信する（Ｓ１２１）。入場情報を受信すると、制御部１１は、通信部１２を通じて改札機２０から出場情報を受信する（Ｓ１２２）。
【０１４０】
出場情報を受信すると、制御部１１は、出場情報などに基づいて乗車料金を決定する（Ｓ１２３）。乗車料金を決定すると、制御部１１は、乗車料金を決済する（Ｓ１２４）。乗車料金を決済すると、制御部１１は、動作を終了する。
【０１４１】
なお、制御部１１は、Ｓ１２３で入場情報が示す入場駅と出場情報が示す入場駅とが一致するかチェックしてもよい。
【０１４２】
また、ホームビーコン５０ａ乃至５０ｃは、個別のデータをビーコンステッカー４０に送信してもよい。たとえば、ホームビーコン５０ａ乃至５０ｃは、設置される駅、ホーム２００上の位置及び時刻を示すホームビーコン情報を送信してもよい。
【０１４３】
また、車両ビーコン６０ａ及び６０ｂは、自身が設置されたドアをさらに示す車両ビーコン情報を送信してもよい。
【０１４４】
また、出場処理を行う場合、改札機２０の制御部２１は、第１のビーコン情報に履歴情報を要求する情報を格納してもよい。  
また、ビーコンステッカー４０のプロセッサ４１は、内部に履歴情報がある場合に、履歴情報を含むステッカー情報を第１のビーコン２４に送信してもよい。
【０１４５】
以上のように構成された料金収受システムは、ビーコンステッカーにユーザが移動した経路を示す履歴情報を格納する。料金収受システムは、履歴情報に基づいて乗車料金を決定する。
【０１４６】
その結果、料金収受システムは、ユーザが実際に移動した経路に基づいて乗車料金を決定することができる。よって、料金収受システムは、適切に乗車料金を収受することができる。
【０１４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４８】
１…料金収受システム、１０…サーバ、１１…制御部、１２…通信部、２０…改札機、２１…制御部、２２…通信部、２４…第１のビーコン、２５…第２のビーコン、３０…ネットワーク、４０…ビーコンステッカー、４１…プロセッサ、４２…メモリ、４３…通信部、５０…ホームビーコン、６０…車両ビーコン、１００…車両、２００…ホーム。
【図１】
2019053611.tif 000003
【図２】
2019053611.tif 000004
【図３】
2019053611.tif 000005
【図４】
2019053611.tif 000006
【図５】
2019053611.tif 000007
【図６】
2019053611.tif 000008
【図７】
2019053611.tif 000009
【図８】
2019053611.tif 000010
【図９】
2019053611.tif 000011
【図１０】
2019053611.tif 000012
【図１１】
2019053611.tif 000013
【図１２】
2019053611.tif 000014
【図１３】
2019053611.tif 000015
【図１４】
2019053611.tif 000016
【図１５】
2019053611.tif 000017
【図１６】
2019053611.tif 000018
【図１７】
2019053611.tif 000019
【図１８】
2019053611.tif 000020
【図１９】
2019053611.tif 000021
【図２０】
2019053611.tif 000022
【図２１】
2019053611.tif 000023
【図２２】
2019053611.tif 000024